(57)【要約】【課題】第１の筐体と第２の筐体とを有する通信機器において第１の筐体と第２の筐体との状態に応じて適正なアンテナ特性が得られる通信機器を提供することにある。【解決手段】連結部４と表示部側筐体３と間の複数の信号線を、フェライトシートで覆う、または、これら複数の信号線に対して高インピーダンスに作用するインダクタや抵抗等の素子を挿入することで、高周波電流を遮断しておく。また、連結部４と表示部側筐体３には、それぞれの対向面にＧＮＤ面を配置し、ＧＮＤ同士が容量結合するような構造を取ることで、高周波電流を流れ易くしておく。【選択図】図８
2008245270.tif 000002
【特許請求の範囲】
【請求項１】
第１の筐体と、
第２の筐体と、
前記第１の筐体内に配設された第１の回路基板と、
前記第２の筐体内に配設された第２の回路基板と、
前記第１の回路基板と前記第２の回路基板の少なくともいずれか一方に電気的に接続されて前記第１の筐体と前記第２の筐体の少なくともいずれか一方に配設されるアンテナと、
前記第１の筐体に配設された第１の金属部と、
前記第２の筐体に配設された第２の金属部と、
前記第１の金属部と前記第２の金属部とが容量結合される第１の状態と、前記第１の金属部と前記第２の金属部とが容量結合される程度が前記第１の状態に比べて小さい第２の状態との間を相対移動可能に前記第１の筐体と前記第２の筐体とを連結する連結部と、
前記連結部内を挿通して前記第１の回路基板および前記第２の回路基板とを電気的に接続する信号線と、
前記連結部内に配設された高周波遮断手段と、
を有することを特徴とする通信機器。
【請求項２】
前記高周波遮断手段は、前記連結部内の信号線を巻着する、ことを特徴とする請求項１に記載の通信機器。
【請求項３】
前記高周波遮断手段は、前記連結部内の信号線に接続された高周波遮断回路である、ことを特徴とする請求項１又は請求項２に記載の通信機器。
【請求項４】
前記第１の金属部は、前記第１の状態において、前記第１の筐体の前記第２の筐体に対向する部位に配設され、前記第２の金属部は、前記第１の状態において、前記第２の筐体の前記第１の筐体に対向する部位に配設される、ことを特徴とする請求項１乃至請求項３のいずれか１項に記載の通信機器。
【請求項５】
前記第１の金属部および前記第２の金属部は、前記第２の状態における前記第１の筐体の、前記第２の筐体に対向する部位と、前記第２の状態における前記第２の筐体の、前記第１の筐体に対向する部位とを避けて前記第１の筐体および前記第２の筐体内に配設される、ことを特徴とする請求項４に記載の通信機器。
【請求項６】
第１の筐体と、
第２の筐体と、
前記第１の筐体内に配設された第１の回路基板と、
前記第２の筐体内に配設された第２の回路基板と、
前記第１の回路基板と前記第２の回路基板の少なくともいずれか一方に電気的に接続されて前記第１の筐体と前記第２の筐体の少なくともいずれか一方に配設されるアンテナと、
前記第１の筐体に配設された第１の金属部と、
前記第２の筐体に配設された第２の金属部と、
前記第１の金属部と前記第２の金属部とが容量結合される第１の状態と、前記第１の金属部と前記第２の金属部とが容量結合される程度が前記第１の状態に比べて小さい第２の状態との間を相対移動するように前記第１の筐体と前記第２の筐体とを連結する連結部と、
前記第１の状態と前記第２の状態との間の前記第１の筐体と前記第２の筐体とが相対移動された状態を検出する検出部と、
前記連結部内を挿通して前記第１の回路基板および前記第２の回路基板とを電気的に接続する信号線と、
前記信号線に接続された高周波遮断手段と、
前記検出部により前記第１の状態が検出されると前記信号線と前記高周波遮断手段とを切断し、前記第２の状態が検出されると前記信号線と前記高周波遮断手段とを接続するスイッチと、
を有することを特徴とする通信機器。
【発明の詳細な説明】
【技術分野】
【０００１】
本発明は、アンテナを介して通信を行う通信機器に関する。
【背景技術】
【０００２】
従来の通信機器として特許文献１に、折り畳み又はスライド可能に構成された第１の筐体および第２の筐体と、第１の筐体内に配設された第１の回路と、第２の筐体内に配設された第２の回路と、第１の回路および第２の回路の少なくとも一方に内蔵されたアンテナと、第１の回路と第２の回路とを電気的に接続する導電線（信号線）と、導電線を覆うように配設された高周波電流が流れにくくする物質（高周波遮断手段）と、を有する携帯無線通信装置が知られている。
【０００３】
このような、従来の携帯無線通信端末は、アンテナから見た第１の筐体と第２の筐体の状態の変化に伴うアンテナ特性の低下を抑制するために、折り畳んだ閉じ状態と折り畳んでいない開き状態のいずれにおいても、第１の筐体と第２の筐体との間の高周波電流の流れを遮断するよう構成されていた。
【特許文献１】特開平２０００−１３８５２２号公報
【発明の開示】
【発明が解決しようとする課題】
【０００４】
しかし、このように従来の第１の筐体と第２の筐体とを有する携帯無線通信端末は、第１の筐体と第２の筐体とがいかなる状態であろうともほぼ同程度のアンテナ特性しか得られず、第１の筐体と第２の筐体との状態に応じた適正なアンテナ特性が得られているとはいえないという課題があった。
【０００５】
本発明は、上記の課題に鑑みてなされたもので、その目的としては、第１の筐体と第２の筐体とを有する通信機器において第１の筐体と第２の筐体との状態に応じて適正なアンテナ特性が得られる通信機器を提供することにある。
【課題を解決するための手段】
【０００６】
（１）本発明は、第１の筐体と、第２の筐体と、前記第１の筐体内に配設された第１の回路基板と、前記第２の筐体内に配設された第２の回路基板と、前記第１の回路基板と前記第２の回路基板の少なくともいずれか一方に電気的に接続されて前記第１の筐体と前記第２の筐体の少なくともいずれか一方に配設されるアンテナと、前記第１の筐体に配設された第１の金属部と、前記第２の筐体に配設された第２の金属部と、前記第１の金属部と前記第２の金属部とが容量結合される第１の状態と、前記第１の金属部と前記第２の金属部とが容量結合される程度が前記第１の状態に比べて小さい第２の状態との間を相対移動可能に前記第１の筐体と前記第２の筐体とを連結する連結部と、前記連結部内を挿通して前記第１の回路基板および前記第２の回路基板とを電気的に接続する信号線と、前記連結部内に配設された高周波遮断手段と、を有することを特徴とする。
【０００７】
（２）本発明は、前記高周波遮断手段は、前記連結部内の信号線を巻着する、ことを特徴とする。
【０００８】
（３）本発明は、前記高周波遮断手段は、前記連結部内の信号線に接続された高周波遮断回路である、ことを特徴とする。
【０００９】
（４）本発明は、前記第１の金属部は、前記第１の状態において、前記第１の筐体の前記第２の筐体に対向する部位に配設され、前記第２の金属部は、前記第１の状態において、前記第２の筐体の前記第１の筐体に対向する部位に配設される、ことを特徴とする。
【００１０】
（５）本発明は、前記第１の金属部および前記第２の金属部は、前記第２の状態における前記第１の筐体の、前記第２の筐体に対向する部位と、前記第２の状態における前記第２の筐体の、前記第１の筐体に対向する部位とを避けて前記第１の筐体および前記第２の筐体内に配設される、ことを特徴とする。
【００１１】
（６）本発明は、第１の筐体と、第２の筐体と、前記第１の筐体内に配設された第１の回路基板と、前記第２の筐体内に配設された第２の回路基板と、前記第１の回路基板と前記第２の回路基板の少なくともいずれか一方に電気的に接続されて前記第１の筐体と前記第２の筐体の少なくともいずれか一方に配設されるアンテナと、前記第１の筐体に配設された第１の金属部と、前記第２の筐体に配設された第２の金属部と、前記第１の金属部と前記第２の金属部とが容量結合される第１の状態と、前記第１の金属部と前記第２の金属部とが容量結合される程度が前記第１の状態に比べて小さい第２の状態との間を相対移動するように前記第１の筐体と前記第２の筐体とを連結する連結部と、前記第１の状態と前記第２の状態との間の前記第１の筐体と前記第２の筐体とが相対移動された状態を検出する検出部と、前記連結部内を挿通して前記第１の回路基板および前記第２の回路基板とを電気的に接続する信号線と、前記信号線に接続された高周波遮断手段と、前記検出部により前記第１の状態が検出されると前記信号線と前記高周波遮断手段とを切断し、前記第２の状態が検出されると前記信号線と前記高周波遮断手段とを接続するスイッチと、を有する、ことを特徴とする。
【発明の効果】
【００１２】
本発明によれば、第１の筐体と第２の筐体とを有する通信機器において第１の筐体と第２の筐体との状態に応じて適正なアンテナ特性が得られる通信機器を提供することができる。
【発明を実施するための最良の形態】
【００１３】
以下、図面を参照して本発明を実施するための最良の形態を説明する。なお、以下、通信機器の一例として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１４】
図１から図３により、携帯電話機１における基本構造を説明する。図１は、携帯電話機１を開いた状態における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１５】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１６】
ここで、閉状態とは、両筐体が互いに重なるように配置された状態であり、開状態とは、両筐体が互いに重ならないように配置された状態をいう。そして、開状態における表状態とは、後述する表示部側筐体３における表面３ａに配置されるディスプレイ３０と、操作部側筐体２における表面２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１７】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１８】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００１９】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２０】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２１】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリーの収容部にバッテリーを装着するための開口部が形成されると共に、該開口部を塞ぐようにバッテリーリッド２５が配置される。
【００２２】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２３】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２４】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２５】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式でもよい。
【００２６】
つぎに、図４により、操作部側筐体２の内部構造について説明する。
【００２７】
操作部側筐体２は、図４に示すように、フロントケース２ａと、上述した操作キー群１１を構成するキーシート４０と、キースイッチが配置されるフレキシブルプリント配線基板５０と、シールドケース６０と、基準電位部７２及び携帯電話機用のＲＦ（Ｒａｄｉｏ  Ｆｒｅｑｕｅｎｃｙ）モジュール等の各種電子部品を備える回路基板７０と、アンテナ部８０（アンテナ）と、ループアンテナ部８１と、リアケース２ｂと、を備える。また、バッテリー９０は、リアケース２ｂの外側から装脱可能に収容される。また、バッテリーリッド２５は、リアケース２ｂの開口部９１を塞ぐように配置される。
【００２８】
また、フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０及びループアンテナ部８１とが、フロントケース２ａ側からこの順番で収納配置される。
【００２９】
回路基板７０における第１の面７１には、詳細は後述する基準電位部７２が形成される。また、回路基板７０における第２の面７３には、詳細は後述する充電端子１９等の各種電子部品が配置される。具体的には、第２の面７３には、図示しないカメラ部２３やライト部２４が連結部４側の端部に配置されると共に、図示しない音声入力部１２が連結部４側の端部に配置される。なお、カメラ部２３やライト部２４は、リアケース２ｂに所定の形状で穿孔されている穿孔部２ｃを介して外部に露出される。
【００３０】
シールドケース６０は、薄型の直方体における一の広い面が開口した形状を有する金属製の部材である。なお、シールドケース６０は、金属により形成する以外に、骨格を樹脂により形成し、その表面に導体膜を形成したものでもよい。
【００３１】
また、シールドケース６０は、回路基板７０における第１の面７１に形成される基準電位部７２と導通する。これにより、シールドケース６０は、基準電位部７２と電気的に導通して同じ大きさの電位を有するようになる。また、シールドケース６０は、外部からのノイズが回路基板７０に配置される各種電子部品に作用するのを防ぐと共に、回路基板７０に形成される高周波回路等から放出されるノイズを吸収する。また、シールドケース６０は、後述する各種キーの押圧操作に対する剛性確保のための補強部材としても機能する。
【００３２】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００３３】
キーシート４０は、シリコンゴム製のシート４１の表面に操作キー群１１により構成される機能設定操作キー１３、入力操作キー１４及び決定操作キー１５が接着剤により貼り付けられて構成される。また、キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００３４】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００３５】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。携帯電話機１はアンテナ部８０を介して通話や電子メール等の通信を行うことができる。
【００３６】
ループアンテナ部８１は、詳細は後述するＲＦＩＤ用のアンテナであり、リアケース２ｂの内部に形成されているバッテリー９０を収容する部分を囲うようにして配置される。携帯電話機１はループアンテナ部８１を介して近距離通信、例えば、電子マネーのやりとり等の近距離通信を行うことができる。
【００３７】
バッテリー９０は、リアケース２ｂに形成された開口部９１を介してバッテリー収容部９２に着脱可能に収容される。バッテリー収容部９２は、リアケース２ｂと回路基板７０の一部とにより形成される。そして、バッテリー９０が収容された状態において、開口部９１を塞ぐようにバッテリーリッド２５を配置することで、バッテリー９０の脱落を抑制することができる。
【００３８】
図５は、操作部側筐体２の上端部と表示部側筐体３の下端部との間に設けられた２軸ヒンジ機構を備える連結部４の透視図である。連結部４と表示部側筐体３の下端部との間には、信号線１０１が配置されており、信号線１０１の外側にはフェライトシート１０３が覆われている。また、携帯電話機１は、この信号線１０１及びフェライトシート１０を覆うと共に、連結部４と表示部側筐体３とを連結する第２連結部１０５（本発明の連結部）を有する。
【００３９】
操作部側筐体２に設けられた回路基板７０には信号線１０１の一端が接続されており、信号線１０１は第２連結部１０５及び連結部４内を経由し、表示部側筐体３に設けられた回路基板１０６には信号線１０１の他端が接続されている。
【００４０】
また、図５に示すように、操作部側筐体２の内面上部は回路基板７０と電気的に接続されたＧＮＤ面１１３が設けられている。このＧＮＤ面１１３に対向してＧＮＤ面１１３と容量結合により電気的に接続されたＧＮＤ面１１１が連結部４の下部に設けられ、さらに、ＧＮＤ面１１１と同じく容量結合により電気的に接続されたＧＮＤ面１０９が連結部４の上部に設けられている。
【００４１】
また、図５に示すように、表示部側筐体３の内面下部は回路基板１０６と電気的に接続されると共にＧＮＤ面１０９と容量結合により電気的に接続されるＧＮＤ面１０７が設けられている。
【００４２】
また、第２連結部１０５内を挿通する信号線１０１の外側には、フェライトシート１０３が巻着されて高周波的に高インピーダンスとなっている。すなわち、フェライトシート１０３が信号線１０１を束ねるように巻着することで高周波電流は遮断される。また、連結部４と表示部側筐体３とのそれぞれの対向面にＧＮＤ面１０９，１０７を配置しているので、表示部側筐体３のＧＮＤ面１０７と連結部４のＧＮＤ面１０９とが高周波的に結合されるように構成される。
【００４３】
さらに、図６は、本発明に適用可能な第２連結部１０５の内面をフェライトシート１２０で覆うと共に、表示部側筐体３の内部に配置されている内面においても信号線１０１をフェライトシート１２０で覆うように構成する変形例を示している。
【００４４】
また、図７は、本発明に適用可能な連結部４の内部に配置されている信号線１０１−１〜１０１−ｎの１本１本に対してそれぞれ個別にフェライトビーズ１２１−１〜１２１−ｎで覆うことで高周波電流を遮断するように構成した変形例を示している。なお、この場合、信号線１０１−１〜１０１−ｎの１本１本に対して、高インピーダンスに作用するインダクタや抵抗等の素子を挿入することで、高周波電流を遮断してもよい。
【００４５】
以下、図８を参照して、本実施形態の携帯電話機１の開き状態（表状態、裏状態のいずれの状態も含む）（第１の状態）における特徴的な作用効果について説明する。図８は、本実施形態の携帯電話機１の高周波電流の伝搬の様子を示す透視図である。なお、本説明においては、操作部側筐体部２と連結部４とを含めた一体構成を本発明における第１の筐体とし、表示部側筐体３を第２の筐体とする。またここでは、第２連結部１０５内を挿通する信号線１０１の外側にはフェライトシートが巻着されているものとする。
【００４６】
携帯電話通信に用いられる８００ＭＨｚ帯や２ＧＨｚ帯の高周波電流は、原則としてプリント基板や金属の全体を伝搬する一方で、このような高周波電流は、端面を伝搬し易いという特性があるので、携帯電話機１上の高周波電流の伝搬経路は、図８に示すように主として２系統に分かれることになる。
【００４７】
図８に示すように、到来波Ｗが携帯電話機１に設けられたアンテナ部８０のエレメントに共振され高周波電流が誘起された場合、一方はアンテナ部８０の給電端子Ｑ１から高周波電流Ｉ１１が回路基板７０上を左方向に進み、回路基板７０の端点Ｐ１１から回路基板７０上の端点Ｐ１２、端点Ｐ１２と電気的に接続されたＧＮＤ面１１３から容量結合された連結部４のＧＮＤ面１１１、連結部４のＧＮＤ面１１１から連結部４のＧＮＤ面１０９、連結部４のＧＮＤ面１０９から容量結合された表示部側筐体３のＧＮＤ面１０７、表示部側筐体３のＧＮＤ面１０７から回路基板１０６上の端点Ｐ１５、端点Ｐ１５から回路基板１０６上の端点Ｐ１６へと伝搬されることで電気的なグランド経路は形成される。
【００４８】
他方、アンテナ部８０の給電端子Ｑ２から高周波電流Ｉ２１が回路基板７０上を右方向に進み、回路基板７０の端点Ｐ２１から回路基板７０上の端点Ｐ２２、端点Ｐ２２と電気的に接続されたＧＮＤ面１１３から容量結合された連結部４のＧＮＤ面１１１、連結部４のＧＮＤ面１１１から連結部４のＧＮＤ面１０９、連結部４のＧＮＤ面１０９から容量結合された表示部側筐体３のＧＮＤ面１０７、表示部側筐体３のＧＮＤ面１０７から回路基板１０６上の端点Ｐ２５、端点Ｐ２５から回路基板１０６上の端点Ｐ２６へと伝搬されることで電気的なグランド経路は形成される。
【００４９】
このとき、第２連結部１０５内を挿通する信号線１０１の外側には、フェライトシート１０３が巻かれているので、信号線１０１は高周波的に高インピーダンスになって信号線１０１上での高周波電流Ｉ１１およびＩ２１、その他の高周波電流の流れを遮断する。
【００５０】
このようにして、開き状態における２系統の電気的なグランドは、操作部側筐体２、連結部４、表示部側筐体３の全体に伝搬されることとなり、開き状態における携帯電話機１の全体をアンテナとして有効活用でき、もって、開き状態における適正なアンテナ特性を得ることができる。
【００５１】
次に、図９を参照して、本実施形態の携帯電話機１の表示部側筐体３が、連結部と操作部側筐体２に対して直交するように９０度回転された状態における開き直交状態（第２の状態）、すなわち開き状態に比べて連結部４のＧＮＤ面１０９と表示部側筐体３のＧＮＤ面１０７との容量結合（第１の筐体と第２の筐体との容量結合）の程度が低い状態、における特徴的な作用効果について説明する。図９は、本実施形態の携帯電話機１の高周波電流の伝搬の様子を示す透視図である。なおここでは、先に示した理由と同様の理由により、高周波電流の経路を携帯電話機１の両端面の２系統に分けて便宜的に説明する。
【００５２】
図９に示すように、到来波Ｗが携帯電話機１に設けられたアンテナ部８０のエレメントに共振され高周波電流が誘起された場合、一方はアンテナ部８０の給電端子Ｑ１から高周波電流Ｉ３１が回路基板７０上を左方向に進み、回路基板７０の端点Ｐ１１から回路基板７０上の端点Ｐ１２、端点Ｐ１２と電気的に接続されたＧＮＤ面１１３へと伝搬される。しかし、先に示した場合と異なり、携帯電話機１の開き直交状態においては、ＧＮＤ面１１３と連結部４のＧＮＤ面１１１とは対向していないため、両者は容量結合により電気的に接続されていない。したがって、ＧＮＤ面１１３へと伝搬された高周波電流Ｉ３１は、この経路によっては容量結合により連結部４乃至表示部側筐体３へと伝搬されない。
【００５３】
他方、アンテナ部８０の給電端子Ｑ２から高周波電流Ｉ４１が回路基板７０上を右方向に進み、回路基板７０の端点Ｐ２１から回路基板７０上の端点Ｐ２２、端点Ｐ２２と電気的に接続されたＧＮＤ面１１３へと伝搬される。しかし、この場合もＩ３１の高周波電流の場合と同様、携帯電話機１の開き直交状態においては、ＧＮＤ面１１３と連結部４のＧＮＤ面１１１とは対向していないため、両者は容量結合により電気的に接続されていない。したがって、ＧＮＤ面１１３へと伝搬された高周波電流Ｉ４１は、この経路によっては容量結合により連結部４乃至表示部側筐体３へと伝搬されない。
【００５４】
また、第２連結部１０５内を挿通する信号線１０１の外側には、フェライトシート１０３が巻かれているので、信号線１０１は高周波的に高インピーダンスになって信号線１０１上での高周波電流Ｉ３１およびＩ４１、その他の高周波電流の流れを遮断する。
【００５５】
その結果、開き直交状態における２系統の電気的なグランドは、連結部４および表示部側筐体３には伝搬されず、操作部側筐体２の内部にのみ伝搬されることとなる。これにより、開き直交状態においてもアンテナ部８０を介した通信状態は安定する。すなわち、仮に第２連結部１０４内を挿通する信号線１０１の外側をフェライトシート１０３で巻着して高周波電流を遮断する等の手当てをしなかった場合には、開き直交状態のような、連結部４のＧＮＤ面１０９と表示部側筐体３のＧＮＤ面１０７との容量結合を確保することができないため、高周波電流は信号線１０１を介してのみ表示部側筐体３に伝搬されてしまうこととなるがこの場合、高周波電流の経路は信号線１０１に集中し、アンテナ部８０の特性が劣化してしまうという課題が生じてしまう。しかし、本実施形態における携帯電話機１は、第２連結部１０４内を挿通する信号線１０１の外側をフェライトシート１０３で巻着するように構成されているため、信号線１０１を介して表示部側筐体３に伝搬されようとする高周波電流が、当該フェライトシート１０３により好適に遮断されることとなるため、そのようなアンテナ部８０の特性の劣化を抑制し、もって、開き直交状態においても、アンテナ部８０を介した通信状態を安定させることができる。
【００５６】
なお、図１０に示すように、例えば携帯電話機１の連結部４内に、カメラレンズの方向（撮影方向）が操作部側筐体２の幅方向側に対向するようにカメラが配設されているような場合には、携帯電話機１の使用者は、例えば自分を撮影するために、携帯電話機１を開き直交状態にしてディスプレイ３０の表示面を見ながらカメラレンズを自分に向ける場合が考えられる。本実施形態における携帯電話機１は、このような開き直交状においても、図９に示したようにアンテナ部８０の特性が劣化するのを好適に抑制することができるため、アンテナ部８０を介した安定した通信状態を確保することができる。つまり、例えば、この状態において、通話や電子メール等の通信が発生した場合にも、安定した通信を確保することが出来る。
【００５７】
また、その他の変形例として、携帯電話機１がアンテナ部８０を介して受信される電磁波に基づいてテレビやラジオ等の放送を視聴可能な機能を有している場合には、携帯電話機１の使用者は、開き直交状態においてそのような放送の視聴をする場合が考えられる。本実施形態における携帯電話機１は、この場合においても先に示した同様の理由により、アンテナ部８０の安定した利得を確保することができるため、安定した放送の受信を確保することが出来る。
【００５８】
以上のように、本実施形態における携帯電話機１は、第２連結部１０５内の複数の信号線を、フェライトシートで覆う、または、これら複数の信号線に対して高インピーダンスに作用するインダクタや抵抗等の素子を挿入しさらに、連結部４と表示部側筐体３とには、それぞれの対向面に蒸着等を施したＧＮＤ面を配置し、ＧＮＤ同士が容量結合されるような構造を取ることで、高周波電流が流れ易くなっている。
【００５９】
すなわち、本実施形態における携帯電話機１は、連結部４と表示部側筐体３間のＧＮＤを高周波的に結合させるのに、連結部４と表示部側筐体３それぞれの対向面に設けたＧＮＤ面の結合のみで行うよう構成する。
【００６０】
これにより、本実施形態における携帯電話機１は、表示部側筐体３を回転させない開き状態の場合には、連結部４と表示部側筐体３とが容量結合され、表示部側筐体３まで高周波電流を良好に流すことができるので、携帯電話機１の全体をアンテナとして利用でき、開き状態における望ましいアンテナ特性を得ることができる。
【００６１】
また、本実施形態において説明したように表示部側筐体３を回転させた開き直交状態の場合、その他、この開き直交状態からさらに表示部側筐体３を操作部側筐体２の方向に戻した半開き直交状態の場合、すなわち、連結部４と表示部側筐体３と容量結合の程度が低い状態の場合には、表示部側筐体３は連結部４から高周波的に切り離された状態となる。よって信号線１０１に集中しようとする高周波電流が好適に遮断され、アンテナ性能の劣化を抑えることができ、このような状態においても望ましいアンテナ特性を得ることができる。
【００６２】
本発明は、本実施形態に限定されない。例えば、本実施形態においては、第１の状態として開き状態を、そして第２の状態として開き直交状態を例にして説明したが、本発明はこれに限定されず、第１の金属部と第２の金属部とが容量結合されている状態は全て第１の状態として観念することができ、第１の金属部と第２の金属部とが容量結合されている程度が第１の状態に比べて程度が小さい状態であれば第２の状態として観念することができる。例えば、第２の状態は、連結部と操作部側筐体２に対して直交するように９０度回転された状態に限らず、その他の角度で回転された状態であってもよい。
【００６３】
また、本実施形態においては、蒸着等を施したＧＮＤ面同士の容量結合により連結部４と表示部側筐体３とを電気的に接続していたが、本発明は、このような蒸着に限らず、導電性を有する部材同士の容量結合により連結部４と表示部側筐体３とを電気的に接続するよう構成してもよい。特に、先に示したように、連結部４の内部にカメラ等の電子装置（その他着信音や音楽再生に用いるスピーカーや着信を報知するためのバイブモーター等が考えられる。）が配設され、かつ、その電子装置が金属等の導電部を有しているような場合には、この電子装置の導電部をＧＮＤ面の代替として活用してもよい。
【００６４】
また、本実施形態における携帯電話機１は、開き状態および開き直交状態のいずれにおいても連結部４と表示部側筐体３とが対向しあう部位、すなわち、具体的には、図９における表示部側筐体３が第２連結部１０５と対向する部位Ｓ１および連結部４が第２連結部１０５と対向する部位Ｓ２にもＧＮＤ面１０７およびＧＮＤ面１０９が配設される構成となっていたが、本発明においては、これに限らず、このような開き状態および開き直交状態のいずれにおいても連結部４と表示部側筐体３とが対向しあう部位Ｓ１およびＳ２にはＧＮＤ面を配設しないように構成してもよい。
【００６５】
これにより、携帯電話機１が開き直交状態において、ＧＮＤ面１０７およびＧＮＤ面１０９が容量結合されて、高周波電流がＧＮＤ面１０７およびＧＮＤ面１０９周辺に集中して、アンテナ特性が劣化してしまうことを好適に抑制することができる。
【００６６】
また、図１１は、本発明に適用可能な変形例を示している。連結部４の内部に配置されている信号線１０１のうち、シグナルＧＮＤに該当する接地線１０１ａには、スイッチ１１４が設けられ、このスイッチ１１４により接地線１０１ａは２方向に分岐され、一方に高周波遮断手段としてのフェライトビーズ１１５が設けられる。また、スイッチ１１４により分岐される接地線１０１ａは、いずれもＧＮＤ面１０９とＧＮＤ面１１１に接続するように構成される。なお、図１１では便宜上、信号線１０１のうち、一本の接地線１０１ａのみの構成を示したが、実際には信号線１０１のうち、シグナルＧＮＤに該当する全ての信号線に上述の構成が設けられている。これにより、信号線１０１のうち、シグナルＧＮＤに該当する全ての信号線で以下に示す作用効果を得ることができる。
【００６７】
携帯電話機１の開き状態では、携帯電話機１の開き状態が検出されると、図１１に示すようにスイッチ１１４が制御され、接地線１０１ａは、ＧＮＤ面１０９およびＧＮＤ面１１１と接続されるため、上述の図８に示した場合と同様に、開き状態における２系統の電気的なグランドは、操作部側筐体２、連結部４、表示部側筐体３の全体に伝搬されることとなり、開き状態における携帯電話機１の全体をアンテナとして有効活用でき、もって、開き状態における適正なアンテナ特性を得ることができる。
【００６８】
なお、図１１に示した構成によれば、携帯電話機１の開き状態において、第２連結部１０５周辺の高周波電流が遮断されないため、アンテナ部８０の特性の維持向上をさらに図ることができる。
【００６９】
一方、携帯電話機１の開き直交状態では、図１１に示すスイッチ１１４が、下側に切り替わるように制御され、接地線１０１ａを介して表示部側筐体３に伝搬されようとする高周波電流が、フェライトビーズ１１５により好適に遮断されることとなるため、アンテナ部８０の特性の劣化を抑制し、もって、開き直交状態においても、アンテナ部８０を介した通信状態を安定させることができる。
【００７０】
なお、携帯電話機１の開き状態や開き直交状態を判別するためには、例えば、連結部４と対向する表示部側筐体３の端部に磁石を設け、表示部側筐体３と対向する連結部４の端部に磁気を検出するセンサを設ける。このセンサにより表示部側筐体３と連結部４との位置関係の違いに伴う磁気の強弱を検出し、検出される結果に基づいて、携帯電話機１の開き状態や開き直交状態を判別する。携帯電話機１は、このように判別された携帯電話機１の開き状態や開き直交状態に基づいてスイッチ１１４の制御を行う。
【００７１】
図１２は、本発明に適用可能な操作部側筐体部２の内部で信号線１０１にローパスフィルタ１１６を接続して構成する変形例を示している。なお、図１２では便宜上、信号線１０１のうち、一本の信号線のみの構成を示したが、実際には信号線１０１のシグナルＧＮＤに該当する信号線全てに高周波遮断手段としてのローパスフィルタ１１６が接続されている。なお、この場合、信号線１０１のシグナルＧＮＤに該当する全ての信号線に対してそれぞれ個別に高周波遮断手段としてのフェライトビーズを用いて操作部側筐体部２の内部で覆うように構成してもよい。これにより、信号線１０１のシグナルＧＮＤに該当する信号線全てにローパスフィルタ１１６を接続した場合と同等の効果が得ることができる。
【００７２】
操作部側筐体部２の内部で信号線１０１にローパスフィルタ１１６を接続することで、携帯電話機１の開き状態では、上述の図８に示した場合と同様に、開き状態における２系統の電気的なグランドは、操作部側筐体２、連結部４、表示部側筐体３の全体に伝搬されることとなり、開き状態における携帯電話機１の全体をアンテナとして有効活用でき、もって、開き状態における適正なアンテナ特性を得ることができる。
【００７３】
一方、携帯電話機１の開き直交状態では、表示部側筐体３に伝搬されようとする高周波電流が、ローパスフィルタ１１６により好適に遮断されることとなるため、上述の図９に示した場合と同様に、アンテナ部８０の特性の劣化を抑制し、もって、開き直交状態においても、アンテナ部８０を介した通信状態を安定させることができる。
【００７４】
図１３は、本発明に適用可能な第２連結部１０５自体をフェライト素材により構成する変形例を示している。第２連結部１０５自体をフェライト素材により構成することで高周波電流を遮断することができ、もって、携帯電話機１を構成する部品点数を削減し、製造コストを削減することができる。
【図面の簡単な説明】
【００７５】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】操作部側筐体の分解斜視図を示す。
【図５】連結部の透視図（その１）である。
【図６】連結部の透視図（その２）である。
【図７】連結部の透視図（その３）である。
【図８】携帯電話機の高周波電流の伝搬の様子を示す透視図である。
【図９】連結部と操作部側筐体に対して、表示部側筐体が直交するように９０度回転させた開き直交状態の場合の様子を示す透視図である。
【図１０】連結部と操作部側筐体に対して、表示部側筐体が直交するように９０度回転させた開き直交状態の場合の様子を示す外観図である。
【図１１】連結部の透視図（その４）である。
【図１２】連結部の透視図（その５）である。
【図１３】連結部の透視図（その６）である。
【符号の説明】
【００７６】
２…操作部側筐体、３…表示部側筐体、４…連結部、７０…回路基板、８０…アンテナ部、１０１…信号線、１０３…フェライトシート、１０６…回路基板、１２０…フェライトシート、１２１…フェライトビーズ
【図１】
2008245270.tif 000003
【図２】
2008245270.tif 000004
【図３】
2008245270.tif 000005
【図４】
2008245270.tif 000006
【図５】
2008245270.tif 000007
【図６】
2008245270.tif 000008
【図７】
2008245270.tif 000009
【図８】
2008245270.tif 000010
【図９】
2008245270.tif 000011
【図１０】
2008245270.tif 000012
【図１１】
2008245270.tif 000013
【図１２】
2008245270.tif 000014
【図１３】
2008245270.tif 000015